(57)【要約】【課題】  インターネット信号強度指示装置を具えたコンピュータシステムを提供する。【解決手段】  主にインターネット信号強度探知ユニットによりコンピュータシステムに接続し、該コンピュータシステムが接続するLANのインターネット信号伝送強度を探知し、１組のインターネット状態信号を発することができる。指示ユニットインターフェース回路は該インターネット信号強度探知ユニットが生じたインターネット状態信号を受信し、該インターネット信号強度探知ユニットは該インターネット状態信号を受信し、インターネット信号の強弱を表示するインジケーターを点灯させる。該インターネット信号強度探知ユニットは該コンピュータシステムのキーボードコントローラーである。【選択図】        図３
2007037085.tif 000002
【特許請求の範囲】
【請求項１】
主にインターネット信号強度指示装置で、コンピュータシステムに接続するLANのインターネット信号強度を表示し、インターネット信号強度探知ユニット、指示ユニットインターフェース回路、インターネット信号強度指示ユニットを包含し、
該インターネット信号強度探知ユニットは該コンピュータシステムに接続し、該コンピュータシステムが接続するLANのインターネット信号伝送強度を探知し、１組のインターネット状態信号を生じ、
該指示ユニットインターフェース回路は該インターネット信号強度探知ユニットに接続し、該インターネット信号強度探知ユニットが生じるインターネット状態信号を受信し、  該インターネット信号強度指示ユニットは該指示ユニットインターフェース回路に接続し、該指示ユニットインターフェース回路を通して該インターネット状態信号を受信し、インターネット信号の強弱を示す指示信号を生じることを特徴とする、インターネット信号強度指示装置を具えたコンピュータシステム。
【請求項２】
請求項１記載のインターネット信号強度指示装置を具えたコンピュータシステムにおいて、インターネット信号強度探知ユニットは該コンピュータシステムのキーボードコントローラーであることを特徴とする、インターネット信号強度指示装置を具えたコンピュータシステム。
【請求項３】
請求項１記載のインターネット信号強度指示装置を具えたコンピュータシステムにおいて、インターネット信号強度指示ユニットは数個のLEDを包含し、それぞれ該指示ユニットインターフェース回路に接続し、該LEDは点灯状態により該インターネット信号の伝送強度を表示することを特徴とする、インターネット信号強度指示装置を具えたコンピュータシステム。
【請求項４】
請求項３記載のインターネット信号強度指示装置を具えたコンピュータシステムにおいて、各LEDは該指示ユニットインターフェース回路中の対応する駆動部品により該インターネット信号強度探知ユニットに接続することを特徴とする、インターネット信号強度指示装置を具えたコンピュータシステム。
【請求項５】
請求項１記載のインターネット信号強度指示装置を具えたコンピュータシステムにおいて、インターネット信号強度指示ユニットは異なる色を発することができる多色LEDを包含し、該多色LEDが発する異なる色により該インターネット信号の伝送強度を表示することを特徴とする、インターネット信号強度指示装置を具えたコンピュータシステム。
【請求項６】
請求項５記載のインターネット信号強度指示装置を具えたコンピュータシステムにおいて、多色LEDはデジタルからアナログへのコンバーターにより該インターネット信号強度探知ユニットに接続することを特徴とする、インターネット信号強度指示装置を具えたコンピュータシステム。
【請求項７】
請求項１記載のインターネット信号強度指示装置を具えたコンピュータシステムにおいて、インターネット信号強度探知ユニットは該コンピュータシステムのホスト機ケースの選択された位置に配置することを特徴とする、インターネット信号強度指示装置を具えたコンピュータシステム。
【発明の詳細な説明】
【技術分野】
【０００１】
本発明は一種のインターネット信号強度指示装置を具えたコンピュータシステムに関する。特に一種のインターネット信号強度指示装置により、該コンピュータシステムに接続するLANのインターネット信号伝送強度を表示するインターネット信号強度指示装置を具えたコンピュータシステムに係る。
【背景技術】
【０００２】
公知のLAN技術においては一般に、信号伝送線及びコネクタを通して、インターネット接続、データアクセス、シェアを必要とする各装置を連結する。また、ブロードバンドインターネット技術においても、同様にこの種のインターネットアーキテクチャを通して連結する。
しかし多くの場面(オフィス、インターネットサービス業界、店舗、ホテル、公共の場所など)では、回線の規格、敷設などが問題になりしばしば困難を引き起こしている。そのため、有線インターネットに代わり無線インターネットへの世代交代が始まっている。
【０００３】
典型的な無線インターネットブリッジはインターネット接続ポートを具え、信号接続線及びRJ-45型コネクタにより有線LANのコネクタ挿入孔に挿入し接続する。該無線インターネットブリッジは無線信号受信装置及びアンテナを通して、IEEEが規定する無線インターネット技術の通信標準の下、無線信号の伝送/受信が行われる。また、無線インターネットカードを搭載するコンピュータにより信号の伝送と受信が行われる。
【発明の開示】
【発明が解決しようとする課題】
【０００４】
公知構造には以下の欠点があった。
すなわち、有線インターネット或いは無線インターネット、或いは両者が混合したインターネット環境においてはインターネット信号が伝送される時、そのインターネット信号の強度はインターネットアプリケーションプログラムによって決まるため、使用者はそれを知る術がなく、また該インターネット信号の伝送強度を制御することはできない。よって、インターネット信号の伝送強度が弱い時には、使用者はインターネット機能を使用している時に不具合を受ける可能性があり、しかも使用者はインターネット機能を順調に執行可能な否かを判断することもできない。この状況は無線インターネット環境においては特に克服が必要なものである。
本発明は上記構造の問題点を解決したインターネット信号強度指示装置を具えたコンピュータシステムを提供するものである。
【課題を解決するための手段】
【０００５】
上記課題を解決するため、本発明は下記のインターネット信号強度指示装置を具えたコンピュータシステムを提供する。
それは主に無線インターネット環境アーキテクチャにおいて、該インターネット信号の伝送強度を表示可能なメカニズムで、ユーザーエンドにおいて該インターネット環境の状況と使用をコントロール可能で、
すなわちそれは、コンピュータシステムのLANに接続するインターネット信号伝送強度を探知することにより、１組のインターネット状態信号を生じ、これによりランプで告知する方式により該インターネット信号の強弱を示し、
またそれは、簡単な回路アーキテクチャにコンピュータシステムのインターネットアプリケーションプログラムを対応させ、インターネット信号伝送強度の探知と指示を達成し、
さらにそれはインターネット信号強度装置をコンピュータシステムに接続し、該インターネット信号強度装置中にはインターネット信号強度探知ユニット、指示ユニットインターフェース回路、インターネット信号強度指示ユニットを包含し、
該インターネット信号強度探知ユニットは該コンピュータシステムが接続するLANのインターネット信号強度を探知し、１組のインターネット状態信号を生じ、
該指示ユニットインターフェース回路は該インターネット信号強度探知ユニットが生じるインターネット状態信号を受信し、該インターネット信号の強弱を示す灯光を発する。
【０００６】
最適実施例において、該インターネット信号強度指示ユニットはコンピュータシステムのキーボードコントローラーで、該インターネット信号強度指示ユニットは数個のLEDを包含し、それぞれ制御線により該指示ユニットインターフェース回路に接続し、該LEDはその点灯状態により該インターネット信号の強度を表示し、該インターネット信号強度指示ユニットは異なる色を発する多色LEDとすることもでき、該LEDが発する異なる色により該インターネット信号の強度を表すことを特徴とするインターネット信号強度指示装置を具えたコンピュータシステムである。
【０００７】
請求項１の発明は、主にインターネット信号強度指示装置で、コンピュータシステムに接続するLANのインターネット信号強度を表示し、インターネット信号強度探知ユニット、指示ユニットインターフェース回路、インターネット信号強度指示ユニットを包含し、  該インターネット信号強度探知ユニットは該コンピュータシステムに接続し、該コンピュータシステムが接続するLANのインターネット信号伝送強度を探知し、１組のインターネット状態信号を生じ、
該指示ユニットインターフェース回路は該インターネット信号強度探知ユニットに接続し、該インターネット信号強度探知ユニットが生じるインターネット状態信号を受信し、  該インターネット信号強度指示ユニットは該指示ユニットインターフェース回路に接続し、該指示ユニットインターフェース回路を通して該インターネット状態信号を受信し、インターネット信号の強弱を示す指示信号を生じることを特徴とする、インターネット信号強度指示装置を具えたコンピュータシステムとしている。
請求項２の発明は、請求項１記載のインターネット信号強度指示装置を具えたコンピュータシステムにおいて、インターネット信号強度探知ユニットは該コンピュータシステムのキーボードコントローラーであることを特徴とする、インターネット信号強度指示装置を具えたコンピュータシステムとしている。
請求項３の発明は、請求項１記載のインターネット信号強度指示装置を具えたコンピュータシステムにおいて、インターネット信号強度指示ユニットは数個のLEDを包含し、それぞれ該指示ユニットインターフェース回路に接続し、該LEDは点灯状態により該インターネット信号の伝送強度を表示することを特徴とする、インターネット信号強度指示装置を具えたコンピュータシステムとしている。
請求項４の発明は、請求項３記載のインターネット信号強度指示装置を具えたコンピュータシステムにおいて、各LEDは該指示ユニットインターフェース回路中の対応する駆動部品により該インターネット信号強度探知ユニットに接続することを特徴とする、インターネット信号強度指示装置を具えたコンピュータシステムとしている。
請求項５の発明は、請求項１記載のインターネット信号強度指示装置を具えたコンピュータシステムにおいて、インターネット信号強度指示ユニットは異なる色を発することができる多色LEDを包含し、該多色LEDが発する異なる色により該インターネット信号の伝送強度を表示することを特徴とする、インターネット信号強度指示装置を具えたコンピュータシステムとしている。
請求項６の発明は、請求項５記載のインターネット信号強度指示装置を具えたコンピュータシステムにおいて、多色LEDはデジタルからアナログへのコンバーターにより該インターネット信号強度探知ユニットに接続することを特徴とする、インターネット信号強度指示装置を具えたコンピュータシステムとしている。
請求項７の発明は、請求項１記載のインターネット信号強度指示装置を具えたコンピュータシステムにおいて、インターネット信号強度探知ユニットは該コンピュータシステムのホスト機ケースの選択された位置に配置することを特徴とする、インターネット信号強度指示装置を具えたコンピュータシステムとしている。
【発明の効果】
【０００８】
本発明はインターネット信号が伝送される時に使用者が知ることができない、或いは該インターネット信号の伝送強度を効果的に制御できないという公知構造の欠点を克服することができ、本発明の提供するインターネット信号強度指示装置は該インターネット信号の強弱の表示を達成する。さらに、本発明は簡単なコンピュータインターネット信号強度指示回路技術にコンピュータシステムのインターネットアプリケーションプログラムを対応させ、インターネット信号伝送強度の探知と指示を達成し、実施時には簡単でありながら予期の効果を達成することができる。
【発明を実施するための最良の形態】
【０００９】
図１に示すように、本発明インターネット信号強度指示装置を具えたコンピュータシステムを搭載するノートPC１００はホスト機ケース１、ディスプレー２、キーボード３を包含する。
【００１０】
該ホスト機ケース１の適当な位置にはインターネット信号強度指示ユニット４を設置し、該ノートPC１００の無線インターネットの信号伝送強度を表示する。
該インターネット信号強度指示ユニット４は数個のLED４１、４２、４３(例えば赤、緑、青の３種の色のLEDなど)を包含する。該LED４１、４２、４３は該コンピュータシステムのホスト機ケース１の前方位置或いは他の位置を選択し、また該ディスプレー２の隣り合った位置に配置することができる。該LED４１、４２、４３は特別に配置する他、ノートPCの基本装備であるランプをインジケーターとして利用することもでき、その場合には簡単な制御プログラムの修正を行うだけで、同様にインターネット信号伝送強度の指示を達成することができる。
【００１１】
図２に示すように、該ノートPC１００はCPU１１、第一バスブリッジ１２、第二バスブリッジ１３を包含する。
該CPU１１はシステムバスにより該第一バスブリッジ１２に接続し、該第一バスブリッジ１２はシステムメモリ１２１を接続する。該第一バスブリッジ１２はディスプレーインターフェース１２２により該ディスプレー２を接続する。
【００１２】
該第二バスブリッジ１３は基本出入力システム１３１を接続する。該基本出入力システム１３１のメモリ中にはコンピュータシステムが軌道する時に必要なBIOSプログラムとPOSTプログラムを保存する。
【００１３】
該第二バスブリッジ１３はバスによりハードディスクインターフェース１３２を接続し、該ハードディスクインターフェース１３２によりハードディスク１３３に接続し、該コンピュータシステムのデータ保存装置とする。該ハードディスク１３３中にはコンピュータシステムのOS、各周辺装置のドライバプログラム、アプリケーションプログラムを保存する他、LANアプリケーションプログラム１３４を包含する。
【００１４】
該第二バスブリッジ１３はまたバスによりLANインターフェース１４１に接続し、該LANインターフェース１４１によりLAN１４２に接続する。該コンピュータシステムは該LAN１４２により、他のコンピュータが構成するLAN或いはリモートコンピュータが構成するインターネットシステムと接続する。該LAN１４２はワイヤレスLANとすることができる。
【００１５】
インターネット信号強度探知ユニット１５は適当なバスにより該第二バスブリッジ１３に接続する。本発明の最適実施例においては、該インターネット信号強度探知ユニット１５はノートPC１００のキーボードコントローラー１５１を採用することができる。該キーボードコントローラー１５１はキーボード基本出入力システム(BIOS)１５２、コンピュータマウス１５３、キーボード３を接続する。該インターネット信号強度探知ユニット１５は該ノートPC１００に接続するLAN１４２のインターネット信号強度を探知可能で、これによりインターネット状態信号s１、s２、s３を生じる。
【００１６】
指示ユニットインターフェース回路１６は該インターネット信号強度探知ユニット１５に接続し、該インターネット信号強度探知ユニット１５のキーボードコントローラー１５１が発するインターネット状態信号s１、s２、s３を受信する。該インターネット信号強度指示ユニット４は該指示ユニットインターフェース回路１６に接続し、該指示ユニットインターフェース回路１６を経由後のインターネット状態信号を受信する。さらに、これによりインターネット信号強弱を表示可能なコントロール信号を該インターネット信号強度指示ユニット４に送る。該インターネット信号強度指示ユニット４中の各LED４１、４２、４３は点灯状態により該インターネットの信号伝送の強弱を表示する。
【００１７】
次に図３に示す該インターネット信号強度探知ユニット１５、該指示ユニットインターフェース回路１６と該インターネット信号強度指示ユニット４の回路実施例図では、該キーボードコントローラー１５１が生じるインターネット状態信号s１、s２、s３はそれぞれ駆動部品１６１、１６２、１６３及び限流電気抵抗１６４、１６５、１６６により、該インターネット信号強度指示ユニット４中の各LED４１、４２、４３の点灯状態を制御することができる。
【００１８】
実際の探知作業時には、該ノートPC１００は該ハードディスク１３３中のLANアプリケーションプログラム１３４を執行し、該LANアプリケーションプログラム１３４により該LAN１４２のインターネット信号伝送強度を求め、該キーボードコントローラー１５１に通知する。該キーボードコントローラー１５１は受信したインターネット信号伝送強度に基づき、異なる信号強度のインターネット状態信号s１、s２、s３を出力する。こうして、該インターネット信号強度指示ユニット４中の各LED４１、４２、４３の点灯状態を制御することができる。
【００１９】
例えば、該インターネット信号強度指示ユニット４中の各LED４１、４２、４３が赤、緑、青の３種の色のLEDである時には、インターネット信号受信強度が１００%である時には第一LED４１が点灯し、インターネット信号受信強度が５０%である時には第二LED４２が点灯するなどとすることができる。
【００２０】
図２中のインターネット信号強度探知ユニット、指示ユニットインターフェース回路とインターネット信号強度指示ユニットを示す第二実施例の制御回路図である図４に示すように、図３に示す第一実施例とほぼ同様である。その相違点は該インターネット信号強度指示ユニット４中には異なる色を発する多色LED４４を配置する点である。該多色LED４４は該限流電気抵抗１６７とデジタルからアナログへのコンバーター１５４により該キーボードコントローラー１５１に接続する。該キーボードコントローラー１５１は受信したインターネット信号伝送強度に基づき、コントロール信号を該デジタルからアナログへのコンバーター１５４に出力し、制御信号を生じ該多色LED４４を制御する。これにより該多色LED４４は異なる色の灯光を発し、該インターネット信号の強度を表示する。
【図面の簡単な説明】
【００２１】
【図１】本発明インターネット信号強度指示装置を具えたコンピュータシステムを搭載するノートPCの立体図である。
【図２】本発明インターネット信号強度指示装置を具えたコンピュータシステムを搭載するノートPCの機能ブロックチャートである。
【図３】図２中のインターネット信号強度探知ユニット、指示ユニットインターフェース回路とインターネット信号強度指示ユニットを示す第一実施例の制御回路図である。
【図４】図２中のインターネット信号強度探知ユニット、指示ユニットインターフェース回路とインターネット信号強度指示ユニットを示す第二実施例の制御回路図である。
【符号の説明】
【００２２】
１００  ノートPC
１      ホスト機ケース
１１    CPU
１２    第一バスブリッジ
１２１  システムメモリ
１２２  ディスプレーインターフェース
１３    第二バスブリッジ
１３１  基本出入力システム
１３２  ハードディスクインターフェース
１３３  ハードディスク
１３４  LANアプリケーションプログラム
１４１  LANインターフェース
１４２  LAN
１５    インターネット信号強度探知ユニット
１５１  キーボードコントローラー
１５２  キーボード基本出入力システム
１５３  コンピュータマウス
１５４  デジタルからアナログへのコンバーター
１６    指示ユニットインターフェース回路
１６１、１６２、１６３  駆動部品
１６４、１６５、１６６  限流電気抵抗
１６７  限流電気抵抗
２      ディスプレー
３      キーボード
４      インターネット信号強度指示ユニット
４１、４２、４３  LED
４４    多色LED
s１、s２、s３  インターネット状態信号
【図１】
2007037085.tif 000003
【図２】
2007037085.tif 000004
【図３】
2007037085.tif 000005
【図４】
2007037085.tif 000006